(57)【要約】【課題】メンテナンス性に優れたヒートポンプ装置を提供すること。【解決手段】冷媒回路と、冷媒回路を構成する蒸発器２に送風するファン１３と、少なくとも圧縮機３が配設される機械室１２と少なくともファン１３が配設される送風室１５とを区画する防音板１０と、送風室１５と機械室１２とを覆う外装体２９と、を備え、圧縮機３と圧縮機３に電力を供給する電気配線とが接続される接続部１６を、圧縮機３の外装体２９側に設け、外装体２９のうち、接続部１６が近接する位置に開口部２１を形成し、開口部２１を開閉可能な開閉板２２を設けたので、接続部１６は、開閉板２２を取り外すことによって、ヒートポンプ装置１の外側から容易に視認される。よって、メンテナンス性が向上する。【選択図】図３
2015001341.tif 000002
【特許請求の範囲】
【請求項１】
圧縮機、減圧装置、蒸発器が冷媒配管で接続された冷媒回路と、
前記蒸発器に送風するファンと、
少なくとも前記圧縮機が配設される機械室と少なくとも前記ファンが配設される送風室とを区画する防音板と、
前記送風室と前記機械室とを覆う外装体と、を備え、
前記圧縮機と前記圧縮機に電力を供給する電気配線とが接続される接続部を、前記圧縮機の前記外装体に向かって設け、
前記外装体のうち、前記接続部が近接する位置に開口部を形成し、前記開口部を開閉可能な開閉板を設けたことを特徴とするヒートポンプ装置。
【請求項２】
前記外装体は、複数の板から構成され、
前記開閉板と前記外装体とは、締結部において互いに締結され、
前記締結部は、前記板が接触する接触面に設けられることを特徴とする請求項１に記載のヒートポンプ装置。
【発明の詳細な説明】
【技術分野】
【０００１】
本発明は、ヒートポンプ装置に関するものである。
【背景技術】
【０００２】
従来、この種のヒートポンプ装置は、例えば、暖房端末に熱媒を供給して室内の空調を行うものとして、圧縮機、減圧手段（膨張弁）、蒸発器（空気冷媒熱交換器）を環状に接続した冷媒回路を備え、さらに、冷媒回路で生成される高温高圧と低温の熱媒とを熱交換して高温熱媒を生成する水冷媒熱交換器と、水冷媒熱交換器で生成された高温の熱媒を暖房端末に搬送する循環ポンプを備えたものがある（例えば、特許文献１参照）。
【０００３】
図７は、特許文献１に記載された従来のヒートポンプ装置１００の内部構成を示すものである。ヒートポンプ装置１００は、前板１０７、後板１０９、上板１１０、下板１０６で構成される外装体１３０により周囲が覆われている。
【０００４】
前板１０７には、ヒートポンプ装置１００の前方側に設けられ、後述する送風回路を流れる空気が流出する吹出し口が形成されている。また、前板１０７の一部は、ヒートポンプ装置１００の側面（側部１０８）まで延設されている。下板１０６の上には、冷媒回路、水冷媒熱交換器、前板１０７、後板１０８が配設される。後板１０９は、前板１０７側から見たとき、ヒートポンプ装置１の右側面のうち、側部１０８よりも背面側を覆う。すなわち、ヒートポンプ装置１００の右側面は、前方側が前板１０８の側部で覆われ、背面側が後板１０９で覆われている。上板１１０は、ヒートポンプ装置１００のうち、下板１０６と反対側である上面を覆っている。
【０００５】
図８に示すように、外装体１０１の内部は、防音板１０５によって区画されている。防音板１０５に区画された一方は、送風室である。送風室には、空気熱交換器１０３と送風ファン１０４とが配設されて送風回路が形成される。他方は機械室である。機械室には冷媒を圧縮して高温高圧の冷媒を生成する圧縮機１０１、冷媒と熱媒との間で熱交換を行う水冷媒熱交換器１２０、冷媒を減圧する減圧装置（膨張弁）１０２が配設されている。また、機械室の上方には、ＣＰＵまたはマイコン、圧縮機１０１および減圧装置１０２の制御プログラム記憶されたメモリを有し、ヒートポンプ装置１００を制御する制御装置１１１が配置されている。
【先行技術文献】
【特許文献】
【０００６】
【特許文献１】特開２００８−１９６７７７号公報
【発明の概要】
【発明が解決しようとする課題】
【０００７】
しかしながら、前記従来の構成では、冷媒回路を構成する冷媒配管が、機械室の下部から上部にわたって配置されている。よって、外装体を取り外して機械室を露出させても、電気配線や電源接続部の視認性が悪く、メンテナンス作業が困難であるという課題を有していた。
【０００８】
本発明は、上記従来の課題を解決するもので、メンテナンス性に優れたヒートポンプ装置を提供することを目的とする。
【課題を解決するための手段】
【０００９】
前記従来の課題を解決するために、本発明のヒートポンプ装置は、圧縮機、減圧装置、蒸発器が冷媒配管で接続された冷媒回路と、前記蒸発器に送風するファンと、少なくとも前記圧縮機が配設される機械室と少なくとも前記ファンが配設される送風室とを区画する防音板と、前記送風室と前記機械室とを覆う外装体と、を備え、前記圧縮機と前記圧縮機に電力を供給する電気配線とが接続される接続部を、前記圧縮機の前記外装体に向かって設け、前記外装体のうち、前記接続部が近接する位置に開口部を形成し、前記開口部を開閉可能な開閉板を設けたことを特徴とするものである。
【００１０】
これにより、開閉板を取り外すと、圧縮機と電気配線との接続部を容易に確認することがでる。
【発明の効果】
【００１１】
本発明によれば、ヒートポンプ装置のメンテナンス性を向上させることができる。
【図面の簡単な説明】
【００１２】
【図１】本発明の実施の形態におけるヒートポンプ装置を用いた温水暖房装置の概略構成図
【図２】同ヒートポンプ装置の内部構造を示す斜視図
【図３】同ヒートポンプ装置の外観を示す斜視図
【図４】同ヒートポンプ装置の圧縮機の斜視図
【図５】（ａ）同ヒートポンプ装置の外装体を構成する前板が取り外された場合の斜視図、（ｂ）図５（ａ）の要部拡大図
【図６】（ａ）同ヒートポンプ装置の外装体を構成する前板が取り付けられた場合の斜視図、（ｂ）図５（ｂ）の要部拡大図
【図７】従来のヒートポンプ装置の外観を示す斜視図
【図８】従来のヒートポンプ装置の内部構造を示す斜視図
【発明を実施するための形態】
【００１３】
第１の発明は、圧縮機、減圧装置、蒸発器が冷媒配管で接続された冷媒回路と、前記蒸発器に送風するファンと、少なくとも前記圧縮機が配設される機械室と少なくとも前記ファンが配設される送風室とを区画する防音板と、前記送風室と前記機械室とを覆う外装体と、を備え、前記圧縮機と前記圧縮機に電力を供給する電気配線とが接続される接続部を、前記圧縮機の前記外装体に向かって設け、前記外装体のうち、前記接続部が近接する位置に開口部を形成し、前記開口部を開閉可能な開閉板を設けたことを特徴とするヒートポンプ装置である。
【００１４】
これにより、開閉板（カバー）を取り外すことで、圧縮機と電気配線との接続部（電源接続部）の状態を容易に確認することができる。また、ヒートポンプ装置には、外気からの熱伝達等による熱交換性能の低下を抑制するため、外装体と外装体内部の部品との間には一定量のスペースを確保している。よって、このスペースを用いてメンテナンス作業を行うことができる。すなわち、接続部（電源接続部）における結線が容易となり、メンテンス性を向上することができる。
【００１５】
第２の発明は、特に第１の発明のヒートポンプ装置において、前記外装体は、複数の板から構成され、前記開閉板と前記外装体とは、締結部において互いに締結され、前記締結部は、前記板が接触する接触面に設けられることを特徴とするものである。
【００１６】
これにより、外装体が組み上げられた場合に、締結部が露出しない。すなわち、外装体を構成する複数の板のうちのいずれかを取り外した場合のみ、開閉板を脱着することができる。よって、安全性を向上させることができる。
【００１７】
以下、本発明の実施の形態について、図面を参照しながら説明する。なお、この実施の形態によって本発明が限定されるものではない。
【００１８】
（実施の形態１）
図１は、本発明の実施の形態におけるヒートポンプ装置を用いた温水暖房装置の概略構成図、図２は、同ヒートポンプ装置の内部構造を示す斜視図、図３は、同ヒートポンプ装置の外観を示す斜視図、図４は、同ヒートポンプ装置の圧縮機の斜視図、図５および図６は、同ヒートポンプ装置の外装体に設けられた開閉板の取付構造を説明する斜視図である。本実施の形態では、ヒートポンプ装置を、暖房端末に温水を供給して室内の空調を行う温水暖房装置に適用した場合について説明する。
【００１９】
図１に示すように、本実施の形態の本水生成装置は、ヒートポンプ装置１と、熱交換ユニット７と、暖房端末５を備えている。ヒートポンプ装置１と熱交換ユニット７とは冷媒配管で互いに接続され、熱交換ユニット７と暖房端末５とは熱媒配管によって互いに接続されている。
【００２０】
熱交換ユニット７には、ヒートポンプ装置１にて生成された高温高圧の冷媒と、水や不凍液等の熱媒とが熱交換を行う水冷媒熱交換器４、水冷媒熱交換器４と暖房端末５との間で熱媒を循環させる循環ポンプ６とが配設されている。
【００２１】
ヒートポンプ装置１には、冷媒を膨張させる減圧装置（膨張弁）８、冷媒と空気との間で熱交換を行う空気熱交換器（蒸発器）２、冷媒を圧縮する圧縮機３、が冷媒配管で接続された冷媒回路が配置されている。冷媒回路を循環する冷媒としては、Ｒ４１０Ａや二酸化炭素等を用いることができる。
【００２２】
次に、ヒートポンプ装置１の構成について、図２〜図６を参照しながら説明する。
【００２３】
図２に示すように、ヒートポンプ装置１は、周囲が外装体２９に覆われている。外装体２９は複数の板を組み合わせて構成される。本実施の形態では、外装体２９は、複数の板（前板９、後板２０、上板２３、下板９）から構成される。前板１８は、送風回路を流れる空気がヒートポンプ装置１の内部から流出する吹出し口１８ａを有する。前板１８は、その一部が、吹出し口１８ａ側から見てヒートポンプ装置１の右方側の側面まで延設されている。ヒートポンプ装置１の右方側の側面まで延設された前板１８の一部は、側部１９である。ヒートポンプ装置１の右方側の側面のうち、側部１９以外の部分は、後板２０で覆われている。前板１８と後板２０との上方には、上板２３が配置されている。前板１８および後板２０と上板２３とは、ボルト等の締結部材により互いに固定される。また、前板１９および後板２０は、下板９上に配置され、互いに接続されて固定される。外装体２９の右方側の側面には、開口部２１が形成されている。また、開口部２１は、開口部２１を開閉可能な開閉板２２によって閉塞されている。本実施の形態では、開口部２１は、後板２０のうち、ヒートポンプ装置１の背面よりも前板１８（側部１９）に近い位置に形成されている。
【００２４】
図３に示すように、ヒートポンプ装置１は、底板９に、冷媒回路、ファン１３、制御装置１１、が配置されて構成される。なお、外装体２９は、ヒートポンプ装置１のうち、蒸発器２が覆う箇所以外を覆うものである。
【００２５】
図３に示すように、ヒートポンプ装置１の内部は、下板９に配置された防音板１０によって、機械室１２と送風室１５とに区画されている。
【００２６】
送風室１５には、空気熱交換器２、空気熱交換器２に送風するファン１３、ファンを駆動するモータ１４が配設され、送風回路を形成する。空気熱交換器２は、下板９上に配置されて固定され、ファン１３とモータ１４とは、支持具を介して下板９に固定される。
【００２７】
機械室１２には、下板９上に配置された圧縮機３、膨張弁８、圧縮機３と膨張弁８とを駆動する制御装置１１が配設されている。制御装置１１は、機械室１２の上方に配置された電源ボックス１１ａに収容されている。また、制御装置１１は、圧縮機３、膨張弁８、および、冷媒配管よりも上方に配置されている。制御装置１１は、ＣＰＵまたはマイコンと、圧縮機３および膨張弁８の制御プログラム記憶されたメモリを有している。
【００２８】
図２および図４に示すように、圧縮機３の側方には、一端が電源ボックス１１ａに接続され、電源ボックス１１ａから圧縮機３へと電力を供給する電源接続部（接続部）１６が設けられている。電源接続部１６は、周囲が樹脂製の接続部カバー１７によって覆われている。また、電源接続部１６は、機械室１２において、外装体２９に形成された開口部２１と近接する位置に配置されている。図２および図４に示すように、電源接続部１６は、ヒートポンプ装置１の右側面を向いて配置され、後板２０および側部１９の内側の面と対向するように配置されている。
【００２９】
なお、電源接続部１６は、圧縮機３を構成する面のうち、外装体２９側から見て視認可能な位置、すなわち、外装体２９側を向いて位置に配置されることが好ましい。さらに、電源接続部１６は、最も近接する外装体２９と対向するように配置されていることが好ましい。これにより、外装体２９に形成する開口部２１と電源接続部１６とを近接させて、メンテナンス作業を容易にすることができる。
【００３０】
後板２０には、圧縮機３の電源接続部（接続部）１６と対向する位置に、開口部２１が形成されている。開口部２１は、開口部２１を開閉可能な開閉板２２によって閉塞されている。
【００３１】
図５および図６に示すように、後板２０のうち、側部１９と後板２０との接触面には、ネジ（締結部材）を挿入する締結穴（締結部）２４を設けている。ここで、開口部２１は、後板２０のうち、ヒートポンプ装置１の背面よりも前板１８（側部１９）に近い位置に形成されている。よって、締結穴（締結部）２４にネジを挿入して、開閉板２２と後板２０とを簡単に締結することができる。よって、開閉板２２を外装体２９に固定することが容易になる。また、外装体２９によってヒートポンプ装置１が覆われている状態では、締結穴（締結部）２４が側部１９と後板２０とによって覆われて露出しない。よって、開閉板２２が外装体２９から脱落することを防止する。また、外装体２９を構成する複数の板のうちのいずれかを取り外した場合のみ、開閉板２２を脱着することができる。以上から、ヒートポンプ装置１の使用時における安全性を向上させることができる。
【００３２】
なお、締結部２４および締結部材の形態は、特にその種類を限定しない。例えば、接触し合う板のいずれか一方に爪部を設けて、爪部によって他方の板と係合させることで締結してもよい。すなわち、締結部２４が外装体２９の外方に露出しないように構成されていればよい。
【００３３】
なお、本実施の形態のヒートポンプ装置１は、右方側の外装体２９に開口部２１を形成し、この開口部２１と近接するように、電源接続部１６を配置しているが。開口部２１は、右方側の外装体２９以外に形成されていてもよい。例えば、開口部２１を前板１８の吹出し口１８ａが設けられている面（前面）に形成することができる。また、本実施の形態のヒートポンプ装置１は、前板１８と後板２０とが、ヒートポンプ装置１の右方側の側面にて接触するように構成されているが、これ以外の形態でも構わない。例えば、前板１８
が、ヒートポンプ装置１の前面のみを覆うようにして、後板２０が、ヒートポンプ装置１の右方側の側面のすべてを覆うように形成してもよい。
【００３４】
なお、本実施の形態のヒートポンプ装置１は、水冷媒熱交換器４および循環ポンプ６を有さない構成としているが、これらを収容したヒートポンプ装置１としてもよい。
【００３５】
以上のように、機械室１２に配置した圧縮機３の電源接続部１６を、外装体２９側に向けて、かつ、外装体２９に近接して配置している。また、外装体２９のうち電源接続部１６に近接する位置に開口部２１を形成するとともに、開口部２１を開閉可能な開閉板２２によって閉塞している。これにより、開閉板２２を取り外すことで、ヒートポンプ装置１の外側から、電源接続部１６を容易に視認することができる。よって、故障原因を容易に識別することができる。
【００３６】
なお、ヒートポンプ装置１を覆う外装体２９と、機械室１２内部に配置される冷媒回路の部品との間には、一定の距離を設けている。これにより、外装体２９と機械室１２内部の冷媒回路の部品との間に空間が形成されて、外気との熱の授受等による熱交換性能低下を防止する。この空間に電源接続部１６を設けることで、電源接続部１６の結線を容易に行うことができ、メンテナンス性を向上させることができる。
【００３７】
また、開口部２１を閉塞する開閉板２２と外装体２９とをネジによって締結している。このとき、ネジを挿入する締結穴（締結部）２４を、外装体２９を構成する板と板との間の接触面に設けている。よって、外装体２９が組み上げられた場合に締結穴（締結部）２４が露出しない。すなわち、いずれかの板１８を取り外した場合のみ開閉板２２を脱着して開口部２１を開状態にすることができるので、安全性を向上させることができる。
【産業上の利用可能性】
【００３８】
以上のように、本発明にかかるヒートポンプ装置は、メンテナンス性を向上させることができるので、温水暖房装置、給湯機、空気調和機等に用いるヒートポンプ装置として適用することができる。
【符号の説明】
【００３９】
１  ヒートポンプ装置
２  空気熱交換器（蒸発器）
３  圧縮機
８  減圧装置（膨張弁）
１０  防音板
１２  機械室
１３  ファン
１５  送風室
１６  電源接続部（接続部）
１７  接続部カバー
２１  開口部
２２  開閉板
２４  締結部
【図１】
2015001341.tif 000003
【図２】
2015001341.tif 000004
【図３】
2015001341.tif 000005
【図４】
2015001341.tif 000006
【図５】
2015001341.tif 000007
【図６】
2015001341.tif 000008
【図７】
2015001341.tif 000009
【図８】
2015001341.tif 000010